(57)【特許請求の範囲】
【請求項１】
収納家具本体及び上下複数段の引出しを有する収納家具における、前端部左右に配置した左前補強体及び右前補強体による前記収納家具本体の補強構造であって、
前記左前補強体及び前記右前補強体における、前記収納家具本体の左右の側板に沿って上下方向へ伸びる側框部材が、左右方向内面側の平板状の内フランジと左右方向外面側の平板状の外フランジを平板状のウェブで繋いだ形状を成す、前方又は後方を開口した平面視コ字状のものであり、
前記引出しを前後方向へ開閉可能に案内する案内手段を支持するために用いる支持孔を、前記内フランジの前後方向中央の鉛直面を対称面とした面対称の周壁により形成し、
前記左前補強体及び前記右前補強体で同一形状の前記側框部材を使用し、
前記収納家具が、前記引出しを閉じた状態でラッチを掛けるラッチ装置、及び前記複数段の引出しを同時に施解錠するロック装置を備えたものであり、
前記外フランジを前記側板に溶着するための作業孔を前記内フランジに上下複数設け、
前記引出しを閉じた状態で前記ラッチ装置のラッチ板が係止する係止突起を取り付ける取付孔、又は前記引出しを閉じた状態で前記ラッチ装置のラッチ板が係止する係止突起を前記内フランジに設け、
前記ロック装置の施解錠操作により上下軸まわりに回動する本体側ロック部材を支持する支持部を前記側框部材に設けるとともに、前記ロック装置の施錠操作により左右方向内方へ突出する、前記本体側ロック部材に設けられた係止爪が出没する切欠を前記内フランジに設けてなることを特徴とする収納家具本体の補強構造
【請求項２】
前記左前補強体及び前記右前補強体における、前記側框部材と一体に、前記側框部材の上端部から左右方向内側へ折り曲げ形成された、前記収納家具本体の上框が溶着される上框連結体を共通化してなる請求項１記載の収納家具本体の補強構造。
【発明の詳細な説明】
【技術分野】
【０００１】
本発明は、ワゴン又は袖キャビネット等の収納家具における、その本体の補強構造に係わり、更に詳しくは、収納家具本体の前端部左右に配置した前補強体による補強構造に関する。
【背景技術】
【０００２】
従来の収納家具本体の補強構造として、一枚の板金を折り曲げ加工し、収納家具本体の側板側及び上下端を開放する開口部を形成するとともに、前後端付近をそれぞれ左右の側板の内面と平行に前側及び後側へ屈曲させて前後の取付面を形成してなる左右の前補強体を、前記前後の取付面を前記側板に当接させて溶接により固定してなるもの（例えば、特許文献１参照）、収納家具本体の左右の側板の前端部を左右方向の内側及び後側へ連続して折り曲げて平面視略コ字状とし、この折曲部の後端から後方に突出する係合凸片を上下複数設け、上下に延びる、開口部側を前記左右の側板の内面に対向させた平面視略コ字状の左右の前補強体の前面に、前記係合凸片と係合する係合孔を上下複数設け、前記左右の前補強体と一体の、前記側板に沿って後方に延びる前後の取付板を設け、前記係合凸片に前記係合孔を係合させた状態で、前記左右の側板と前記左右の前補強体の前後の取付板とを溶着してなるもの（例えば、特許文献２参照）等がある。
【先行技術文献】
【特許文献】
【０００３】
【特許文献１】特許第４２４４１１５号公報
【特許文献２】特許第４６６５７３２号公報
【特許文献３】特許第４７３５２１６号公報
【発明の概要】
【発明が解決しようとする課題】
【０００４】
本願の発明者らは、特許文献１及び２のような従来の収納家具本体の補強構造を踏まえ、設計検討及び試作評価を重ねながら補強構造の見直しを行った。
その過程で、特許文献１及び２のような従来構造では、左右の前補強体において、一方には引出しを閉じた状態でラッチを掛けるラッチ装置の機能を奏するための専用形状が形成され、他方には複数段の引出しを同時に施解錠するロック装置の機能を奏するための専用形状が形成されていること等から、左右の前補強体の形状が大きく異なっていることに着目した。例えば、特許文献２の構成では、左前補強体にラッチ装置の機能を奏するための専用形状である掛止突起（符号１２２参照）が形成され、右前補強体にロック機構の機能を奏するため専用形状である案内溝及び連係具取付孔（特許文献３の案内溝１３２及び連係具取付孔１３３参照）が形成されており、左右の前補強体の形状が大きく異なっている。
このような左右の前補強体の形状の相違により部品点数が増加することから、製造コストが上昇する。その上、部品点数が増加することにより、設計、調達、製造及び保管等における管理が複雑になっているため、管理コストも上昇している。
【０００５】
ここで、左右の前補強体の製造において、左右セット取りや抜き形状共通化により改善を図ることが考えられる。
しかしながら、左右セット取りでは、金型構造が複雑になって投資が嵩む懸念や工程が複雑になる懸念があるとともに、部品点数の削減には繋がらない。
また、抜き形状共通化によっても部品点数の削減には繋がらないとともに、抜き形状共通化では板金打抜き加工により形成されるバリの方向が左右で逆になるという品質面の問題点も生じる。
【０００６】
そこで本発明が前述の状況に鑑み、解決しようとするところは、部品点数の削減により製造コスト及び管理コストを低減できる収納家具本体の補強構造を提供する点にある。
【課題を解決するための手段】
【０００７】
本願の発明者らは、前記設計検討及び試作評価により、所要の強度及び剛性を確保しながら右前補強体及び左前補強体の部品共通化を図ることができれば、製造コスト及び管理コストの低減に繋がるという着想を得た。
【０００９】
本発明に係る収納家具本体の補強構造は、前記課題解決のために、収納家具本体及び上下複数段の引出しを有する収納家具における、前端部左右に配置した左前補強体及び右前補強体による前記収納家具本体の補強構造であって、前記左前補強体及び前記右前補強体における、前記収納家具本体の左右の側板に沿って上下方向へ伸びる側框部材が、左右方向内面側の平板状の内フランジと左右方向外面側の平板状の外フランジを平板状のウェブで繋いだ形状を成す、前方又は後方を開口した平面視コ字状のものであり、前記引出しを前後方向へ開閉可能に案内する案内手段を支持するために用いる支持孔を、前記内フランジの前後方向中央の鉛直面を対称面とした面対称の周壁により形成し、前記左前補強体及び前記右前補強体で同一形状の前記側框部材を使用し、前記収納家具が、前記引出しを閉じた状態でラッチを掛けるラッチ装置、及び前記複数段の引出しを同時に施解錠するロック装置を備えたものであり、前記外フランジを前記側板に溶着するための作業孔を前記内フランジに上下複数設け、前記引出しを閉じた状態で前記ラッチ装置のラッチ板が係止する係止突起を取り付ける取付孔、又は前記引出しを閉じた状態で前記ラッチ装置のラッチ板が係止する係止突起を前記内フランジに設け、前記ロック装置の施解錠操作により上下軸まわりに回動する本体側ロック部材を支持する支持部を前記側框部材に設けるとともに、前記ロック装置の施錠操作により左右方向内方へ突出する、前記本体側ロック部材に設けられた係止爪が出没する切欠を前記内フランジに設けてなることを特徴とする（請求項１）。
【００１０】
このような構成によれば、左前補強体及び右前補強体の側框部材を共通化しているので、部品点数の削減により製造コスト及び管理コストを低減できる。
そして、側框部材が、左右方向内面側の平板状の内フランジと左右方向外面側の平板状の外フランジを平板状のウェブで繋いだ形状を成す、前方又は後方を開口した平面視コ字状のものであるので、板金プレス加工等により容易に製造できる。
その上、左前補強体及び右前補強体で同一形状の側框部材を使用するので、部品点数の削減により製造コスト及び管理コストを低減できる。
その上さらに、引出しを前後方向へ開閉可能に案内する案内手段を支持するために用いる支持孔を、側框部材の内フランジの前後方向中央の鉛直面を対称面とした面対称の周壁により形成していることから、左前補強体及び右前補強体で同一形状の側框部材を使用した際における支持孔の前後位置が左右で同じになるので、引出しを案内する左右の案内手段の前後位置がずれることがなく、左右の案内手段の支持を安定かつ確実に行うことができる。
【００１１】
その上、前記収納家具が、前記引出しを閉じた状態でラッチを掛けるラッチ装置、及び前記複数段の引出しを同時に施解錠するロック装置を備えたものであり、前記外フランジを前記側板に溶着するための作業孔を前記内フランジに上下複数設け、前記引出しを閉じた状態で前記ラッチ装置のラッチ板が係止する係止突起を取り付ける取付孔、又は前記引出しを閉じた状態で前記ラッチ装置のラッチ板が係止する係止突起を前記内フランジに設け、前記ロック装置の施解錠操作により上下軸まわりに回動する本体側ロック部材を支持する支持部を前記側框部材に設けるとともに、前記ロック装置の施錠操作により左右方向内方へ突出する、前記本体側ロック部材に設けられた係止爪が出没する切欠を前記内フランジに設けてなるので、側框部材の外フランジを収納家具本体の側板に溶着するための作業孔が内フランジに上下複数設けられているので、収納家具本体の側板に側框部材を溶着する作業を作業孔から容易に行うことができる。
その上、側框部材の内フランジに設けた係止突起にラッチ装置のラッチ板が係止するので、引出しを閉じた状態でラッチを掛けるラッチ装置が機能する。
その上さらに、側框部材に設けた支持部により本体側ロック部材を支持し、内フランジに設けた切欠から本体側ロック部材の係止爪が出没するので、複数段の引出しを同時に施解錠するロック装置が機能する。
すなわち、左前補強体及び右前補強体の一方に特有の機能であるラッチ機能（前記ラッチ装置の機能）を持つように側框部材が形成されとともに、左前補強体及び右前補強体の他方に特有の機能であるロック機能（前記ロック装置の機能）を持つように側框部材が形成されている。
よって、左前補強体及び右前補強体の両方で同一形状の側框部材を使用しても、左前補強体特有の機能及び右前補強体特有の機能を両立できる。
【００１３】
ここで、前記左前補強体及び前記右前補強体における、前記側框部材と一体に、前記側框部材の上端部から左右方向内側へ折り曲げ形成された、前記収納家具本体の上框が溶着される上框連結体を共通化してなるのが好ましい（請求項２）。
このような構成によれば、左前補強体及び右前補強体において、側框部材及び上框連結体が一体に形成されるとともに、それらが左前補強体及び右前補強体で同一形状になる。
よって、部品点数の削減により製造コスト及び管理コストを一層低減できる。
【発明の効果】
【００１４】
以上のような本発明に係る収納家具本体の補強構造によれば、
（１）左前補強体及び右前補強体の両方で同一形状の側框部材を使用するので、部品点数の削減により製造コスト及び管理コストを低減できること、
（２）左前補強体及び右前補強体の両方で同一形状の側框部材を使用しても、左前補強体特有の機能及び右前補強体特有の機能を両立できること、
等の顕著な効果を奏する。
【図面の簡単な説明】
【００１５】
【図１】本発明の実施の形態に係る収納家具本体の補強構造が用いられた上下３段の引出しを備えたワゴンを示す斜視図である。
【図２】左前補強体及び右補強体、並びに上框及び下框を示す斜視図である。
【図３】同じく分解斜視図である。
【図４】側框部材及び上框連結体を示す斜視図である。
【図５】（ａ）は側框部材の要部拡大横断面斜視図、（ｂ）は（ａ）の矢視Ｘ−Ｘ横断面図である。
【図６】ワゴン本体の左前補強体まわりの構造を示す右方から見た縦断面図である。
【図７】側框部材の支持孔に案内手段の掛止片を挿入した状態を示す後方又は前方から見た要部拡大部分縦断面図である。
【図８】（ａ）は本体側ロック部材を左方から見た図、（ｂ）は本体側ロック部材を上方から見た図（（ａ）を正面図とした場合の平面図）である。
【図９】（ａ）は右前補強体を左方から見た図、（ｂ）は本体側ロック部材が取り付けられた右前補強体を左方から見た図である。
【図１０】ロック装置の動作を示す、上方から見た部分横断面概略図であり、（ａ）は解錠状態を、（ｂ）は施錠状態を示している。
【００１６】
次に、本発明の実施の形態を添付図面に基づき詳細に説明するが、本発明は、添付図面に示された形態に限定されず特許請求の範囲に記載の要件を満たす実施形態の全てを含むものである。
なお、本明細書においては、引出しを引き出す方向側（引出しを開ける方向側）を前、その反対側（引出しを閉じる方向側）を後とし、後方に向かった状態における左右方向側を左右とする。
また、各構成部品の方向の定義は、各構成部品を組み付けた状態で前記方向の定義に従うものとする。
【００１７】
図１の斜視図に示す収納家具であるワゴン１は、収納家具本体であるワゴン本体２に本発明の実施の形態に係る収納家具本体の補強構造を用いたものであり、ワゴン本体２及び上下３段の引出し３，４，５を有する。
図２の斜視図に示すように、ワゴン本体２は、左右側板８，９及び後側板１８からなる前側を開放してなる平面視略コ字状の鋼製の側板体Ｉ、側板体Ｉの上部前端に配置された鋼製の上框１６、側板体Ｉの下部前後端に配置された鋼製の下框１７及び底板１９、側板体Ｉの上面開口を塞ぐ鋼製又は木製の天板２０、並びに下框１７及び底板１９の下面に取付けられた、図１に示すキャスター２１，２１，…等により構成される。キャスター２１，２１，…により、ワゴン１の移動が容易となっている。
また、図６の右方から見た縦断面図に示す天板２０の後側左右の係止片２０Ａ，２０Ａを図２の斜視図に示す後側板１８の上端部を前方へ折り曲げ形成した折曲片の左右の係合凹部１８Ａ，１８Ａに係合させるとともに、図６に示す天板２０の前側左右のボルト２０Ｂ，２０Ｂの首部を図２の上框１６の前側左右の係合凹部１６Ａ，１６Ａに係合させることにより、天板２０の取付けが完了する。よって、天板２０の取付け作業を容易に行うことができる。
【００１８】
図１に示すワゴン１は、引出し３，４，５を閉じた状態でラッチを掛けるラッチ装置を備える。よって、引出し３，４，５を閉じると、前記ラッチ装置が作動状態となるので、引出し３，４，５が不意に開くことが防止される。そして、引手開口Ｊ内の図示しない引手体を引くことにより、その操作に連動して前記ラッチ装置が解除状態となるので、引出し３，４，５を開くことができる。
また、ワゴン１は、上下３段の引出し３，４，５を同時に施解錠するロック装置を備える。よって、キー孔Ｋにキーを挿入して回転（例えば、時計回りに１８０°回転）することにより引出３，４，５を同時に施錠できるとともに、施錠状態でキー孔Ｋにキーを挿入して回転（例えば、反時計回りに１８０°回転）することにより引出３，４，５を同時に解錠できる。
【００１９】
図２の斜視図、及び図３の分解斜視図に示すように、ワゴン本体２の前端部は、鋼製の左前補強体Ｌ及び右前補強体Ｒを鋼製の上框１６及び下框１７に溶着するとともに、左前補強体Ｌ及び右前補強体Ｒの側框部材１０，１０を鋼製の左右の側板８，９に溶着してなる補強構造を有する。
ここで、縦長の左前補強体Ｌ及び右前補強体Ｒにおける、ワゴン本体２の左右の側板８，９に沿って上下方向へ伸び、側板８，９の内面に溶着される側框部材１０，１０は同一形状のものである。
また、左前補強体Ｌの側框部材１０の上端部の上框連結体１４、及び右前補強体Ｒの側框部材１０の上端部の上框連結体１４は、鋼製の側框部材１０と一体に、側框部材１０の上端部から左右方向内側へ折り曲げ形成されたものであり、同一形状のものである。
よって、左前補強体Ｌ及び右前補強体Ｒで、側框部材１０及び上框連結体１４を共通化している。
そして、左前補強体Ｌを構成する側框部材１０の下端部に鋼製の下框連結体１５Ｌが溶着されて左前補強体Ｌとなり、右前補強体Ｒを構成する側框部材１０の下端部に鋼製の下框連結体１５Ｒが溶着されて右前補強体Ｒとなる。
【００２０】
次に、本発明の実施の形態に係る左前補強体Ｌ及び右前補強体Ｒによる補強構造における左前補強体Ｌ及び右前補強体Ｒ等の組み付け手順の一例について説明する。
【００２１】
図２に示す側板体Ｉに対し、左前補強体Ｌの側框部材１０を左側板８の内面に溶着することにより左前補強体Ｌを左側板８に固定するとともに、右前補強体Ｒの側框部材１０を右側板９の内面に溶着することにより右前補強体Ｒを右側板９に固定する。
次に、図３に示すように、下框１７を、左前補強体Ｌ下端部の下框連結体１５Ｌ及び右前補強体Ｒ下端部の下框連結体１５Ｒに載せ、下框１７を下框連結体１５Ｌ及び下框連結体１５Ｒに溶着するとともに、図２に示す底板１９を側板体Ｉの下部後端に溶着する。
【００２２】
次に、図３に示すように、左前補強体Ｌの上框連結体１４の切起し片１４Ａ，１４Ａに上框１６の左方の係合孔１６Ｌ，１６Ｌを係合させるとともに、右前補強体Ｒの上框連結体１４の切起し片１４Ａ，１４Ａに上框１６の右方の係合孔１６Ｒ，１６Ｒを係合させることにより、左右の前補強体Ｌ，Ｒに対して上框１６を位置決めした状態で、左右の前補強体Ｌ，Ｒに上框１６を溶着する。
以上の組み付け手順により、左右の前補強体Ｌ，Ｒが左右の側板８，９に強固に固定されるとともに、左右の前補強体Ｌ，Ｒ及び上下の框体１６，１７が強固に固定され、これらによるワゴン本体２の前補強構造が完成する。
【００２３】
なお、左右の前補強体Ｌ，Ｒ及び上下の框体１６，１７を連結する部分の形状は適宜変更できるとともに、前記組み付け手順（各構成部品を溶着固定する手順）も適宜変更できる。
例えば、以下のような組み付け手順であってもよい。
先ず、図３に示すような上框１６をワゴン本体２に取り付ける。
次に、上框１６の左方の係合孔１６Ｌ，１６Ｌに、下方から左前補強体Ｌ上端部の上框連結体１４の切起し片１４Ａ，１４Ａを係合させて左前補強体Ｌの位置決めをした状態で、左前補強体Ｌの上框連結体１４を上框１６に溶着し、左前補強体Ｌの側框部材１０を側板８（図１及び図２参照）の内面に溶着することにより、左前補強体Ｌを上框１６及び側板８に強固に固定する。
次に、上框１６の右方の係合孔１６Ｒ，１６Ｒに、下方から右前補強体Ｒ上端部の上框連結体１４の切起し片１４Ａ，１４Ａを係合させて右前補強体Ｒの位置決めをした状態で、右前補強体Ｒの上框連結体１４を上框１６に溶着し、右前補強体Ｒの側框部材１０を側板９（図２参照）の内面に溶着することにより、右前補強体Ｒを上框１６及び側板９に強固に固定する。
そして、下框１７を、左前補強体Ｌ下端部の下框連結体１５Ｌ及び右前補強体Ｒ下端部の下框連結体１５Ｒに載せ、下框１７を下框連結体１５Ｌ及び下框連結体１５Ｒに溶着することにより、それらが強固に固定されたワゴン本体２の前補強構造が完成する。
【００２４】
次に、図４の斜視図、図５（ａ）の要部拡大横断面斜視図及び図５（ｂ）の矢視Ｘ−Ｘ横断面図、並びに図６の右方から見た縦断面図を主に参照して、側框部材１０の形状について説明する。
【００２５】
図５（ａ）及び図５（ｂ）に示すように、側框部材１０は、左右方向内面側の平板状の内フランジ１１と左右方向外面側の平板状の外フランジ１２を平板状のウェブ１３で繋いだ形状を成す、前方又は後方を開口した平面視コ字状のものである。
よって、板金プレス加工等により側框部材１０を容易に製造できる。
図４に示すように、内フランジ１１には、外フランジ１２を側板８，９の内面に溶着するための作業孔Ａ，Ａ，…が上下方向に並設される。
よって、内フランジ１１の作業孔Ａ，Ａ，…から、例えばスポット溶接用電極を挿通できるので、ワゴン本体２の側板８，９に側框部材１０を溶着する作業を容易に行うことができる。
なお、作業孔Ａ，Ａ，…の個数は、本実施の形態では７個であるが、溶着により所要の強度及び剛性を確保できる個数の作業孔を形成すればよい。要求仕様等によって、例えば、５個ないし８個程度の作業孔Ａ，Ａ，…が上下方向に設けられる。
以上における鋼製部材同士を連結固定する「溶着」には、スポット溶接、アーク溶接又はレーザ溶接等が用いられる。
【００２６】
図４に示すように、内フランジ１１には、支持孔Ｂ１，Ｂ２，Ｂ３が上下方向に並設される。ここで、支持孔Ｂ１，Ｂ２，Ｂ３は、図６に示す例えばローラ及びスライダ等の組合せからなる案内手段Ｇ１，Ｇ２，Ｇ３を支持するために用いられる。また、案内手段Ｇ１，Ｇ２，Ｇ３は、図１に示す引出し３，４，５の図示しないレールに係合して引出し３，４，５を前後方向へ開閉可能に案内する。
図５（ａ）及び図５（ｂ）に示すように、支持孔Ｂ２は、内フランジ１１の前後方向中央の鉛直面Ｖを対称面とした面対称の周壁Ｐにより形成され、支持孔Ｂ２を形成する周壁Ｐの下壁には、図７の後方又は前方から見た要部拡大部分縦断面図に示す案内手段Ｇ２の掛止片Ｈが掛止する。
また、図４に示す支持孔Ｂ１，Ｂ３も支持孔Ｂ２と同様に形成される。
よって、左前補強体Ｌ及び右前補強体Ｒで同一形状の側框部材１０を使用した際における支持孔Ｂ１，Ｂ２，Ｂ３の前後位置が左右で同じになるので、引出し３，４，５を案内する左右の案内手段Ｇ１，Ｇ１、Ｇ２，Ｇ２及びＧ３，Ｇ３の前後位置がずれることがなく、前記左右の案内手段の支持を安定かつ確実に行うことができる。
【００２７】
図４に示すように、内フランジ１１には、取付孔Ｃ１，Ｃ２，Ｃ３が上下方向に並設される。ここで、取付孔Ｃ１，Ｃ２，Ｃ３は、図６に示すラッチ装置６を構成する合成樹脂製の係止突起６Ａを取り付けるために用いられる。
そして、内フランジ１１の取付孔Ｃ１，Ｃ２，Ｃ３に取り付けられた係止突起６Ａ，６Ａ，６Ａには、引出し３，４，５を閉じた状態でラッチ装置６の図示しないラッチ板（例えば、特許文献２のラッチ装置３１におけるラッチ板３３参照）が係止するので、引出し３，４，５を閉じた状態でラッチを掛ける各引出しのラッチ装置６が機能する。
なお、内フランジ１１から左右方向内方へ突出する前記係止突起を内フランジ１１と一体に形成してもよい。
【００２８】
図４の斜視図、及び図９（ａ）の右前補強体Ｒを左方から見た図に示すように、側框部材１０には、支持部Ｄ１，Ｄ２が上下方向に並設される。ここで、支持部Ｄ１，Ｄ２は、図８（ａ）の左方から見た図、及び図８（ｂ）の上方から見た図に示す本体側ロック部材７Ａを支持するために用いられる。
図９（ｂ）の本体側ロック部材７Ａが取り付けられた右前補強体Ｒを左方から見た図に示すように、本体側ロック部材７Ａの上下端の合成樹脂製の回動支持体２２Ａ，２２Ｂを側框部材１０の上下の支持部Ｄ１，Ｄ２に装着する。それにより、側框部材１０（右前補強体Ｒ）に対して、鋼製の回動板２３及び合成樹脂製の係止爪７Ｂ，７Ｂ，７Ｂが上下方向軸まわりに回動可能になるとともに、ねじりコイルばね２４（図８（ａ）及び図８（ｂ）参照）により弾性支持される。
【００２９】
図４、図９（ａ）及び図９（ｂ）に示すように、内フランジ１１には、切欠Ｅ１，Ｅ２，Ｅ３が上下方向に並設される。ここで、切欠Ｅ１，Ｅ２，Ｅ３は、後述するロック装置の施解錠操作により左右方向内方へ突出する、図９（ｂ）の本体側ロック部材７Ａに設けられた係止爪７Ｂ，７Ｂ，７Ｂと干渉しないように設けられたものである。よって、切欠Ｅ１，Ｅ２，Ｅ３から係止爪７Ｂ，７Ｂ，７Ｂが出没する。
また、図４、図９（ａ）及び図９（ｂ）に示すように、内フランジ１１の上部には、後述するロック装置の図１０に示すロック杆２５が進入する開口部Ｆが設けられる。なお、図４、図６、図９（ａ）及び図９（ｂ）には、内フランジ１１の上部に上下２個の開口部Ｆ，Ｆを設けた例を示している。上側の開口部Ｆは本実施の形態のワゴン１用のものであり、下側の開口部Ｆは別の実施の形態（別機種）用のものである。
【００３０】
次に、図１０（ａ）及び図１０（ｂ）の上方から見た部分横断面概略図を参照して、ロック装置の動作について説明する。
【００３１】
図１０（ａ）に示すロック装置７の解錠状態において、錠前Ｍのキー孔Ｋ（図１参照）にキーを挿入して回転（例えば、時計回りに１８０°回転）すると、図１０（ｂ）に示すようにロック杆２５が右方へ移動し、ロック杆２５の先端が側框部材１０（右前補強体Ｒ）の開口部Ｆ内に進入して回動板２３の被操作部２３Ａを押圧する。
それにより、回動板２３及び係止爪７Ｂ，７Ｂ，７Ｂがねじりコイルばね２４（図８（ｂ）参照）の弾性付勢力に抗して回動し、係止爪７Ｂ，７Ｂ，７Ｂが図９（ｂ）に示す切欠Ｅ１，Ｅ２，Ｅ３から左方へ突出し、引出し３，４，５の胴板の右側面から右方へ突出するように取り付けられたストッパーＳ，Ｓ，Ｓの前面を当止する。よって、引出３，４，５を同時に施錠できる。
また、図１０（ｂ）に示すロック装置７の施錠状態において、錠前Ｍのキー孔Ｋ（図１参照）にキーを挿入して回転（例えば、反時計回りに１８０°回転）すると、図１０（ａ）に示す位置までロック杆２５が左方へ移動し、ロック杆２５の先端が側框部材１０（右前補強体Ｒ）の開口部Ｆから退出する。よって、コイルばね２４（図８（ｂ）参照）の弾性付勢力により、回動板２３及び係止爪７Ｂ，７Ｂ，７Ｂが回動して図１０（ａ）に示す位置まで復帰するので、引出３，４，５を同時に解錠できる。
【００３２】
以上のとおり、右前補強体Ｒを構成する側框部材１０に設けた支持部Ｄ１，Ｄ２（図９（ａ）及び図９（ｂ）参照）により本体側ロック部材７Ａを支持し、側框部材１０の内フランジ１１に設けた切欠Ｅ１，Ｅ２，Ｅ３から本体側ロック部材７Ａの係止爪７Ｂ，７Ｂ，７Ｂが出没するので、引出し３，４，５を同時に施解錠するロック装置７が機能する。
【００３３】
以上のような本発明の実施の形態に係る収納家具本体の補強構造によれば、左前補強体Ｌ及び右前補強体Ｒの側框部材１０を共通化しているので、部品点数の削減により製造コスト及び管理コストを低減できる。
その上、左前補強体Ｌ及び右前補強体Ｒにおいて、側框部材１０及び上框連結体１４が一体に形成されるとともに、それらが左前補強体Ｌ及び右前補強体Ｒで同一形状になるので、部品点数の削減により製造コスト及び管理コストを一層低減できる。
また、側框部材１０に、左前補強体Ｌ特有の機能（本実施の形態ではラッチ装置６の機能）を奏するための形状が左前補強用に用いたときに機能するように形成されるとともに、右前補強体Ｒ特有の機能（本実施の形態ではロック装置７の機能）を奏するための形状が右前補強用に用いたときに機能するように形成されているので、左前補強体Ｌ及び右前補強体Ｒの両方で同一形状の側框部材１０を使用しても、左前補強体Ｌ特有の機能及び右前補強体Ｒ特有の機能を両立できる。
【００３４】
以上の説明においては、本発明の収納家具本体の補強構造が適用される収納家具がワゴンである場合を示したが、本発明の収納家具本体の補強構造は袖キャビネット等の収納家具に適用してもよい。
【符号の説明】
【００３５】
１  ワゴン（収納家具）                  ２  ワゴン本体（収納家具本体）
３，４，５  引出し                      ６  ラッチ装置
６Ａ  係止突起                          ７  ロック装置
７Ａ  本体側ロック部材                  ７Ｂ  係止爪
８，９  側板                            １０  側框部材
１１  内フランジ                        １２  外フランジ
１３  ウェブ                            １４  上框連結体
１４Ａ  切起し片                        １５Ｌ，１５Ｒ  下框連結体
１６  上框                              １６Ａ  係合凹部
１６Ｌ，１６Ｒ  係合孔                  １７  下框
１８  後側板                            １８Ａ  係合凹部
１９  底板                              ２０  天板
２０Ａ  係止片                          ２０Ｂ  ボルト
２１  キャスター                        ２２Ａ，２２Ｂ  回動支持体
２３  回動板                            ２３Ａ  被操作部
２４  ねじりコイルばね                  ２５  ロック杆
Ａ  作業孔                              Ｂ１，Ｂ２，Ｂ３  支持孔
Ｃ１，Ｃ２，Ｃ３  取付孔                Ｄ１，Ｄ２  支持部
Ｅ１，Ｅ２，Ｅ３  切欠                  Ｆ  開口部
Ｇ１，Ｇ２，Ｇ３  案内手段              Ｈ  掛止片
Ｉ  側板体                              Ｊ  引手開口
Ｋ  キー孔                              Ｌ  左前補強体
Ｍ  錠前                                Ｐ  周壁
Ｒ  右前補強体                          Ｓ  ストッパー
Ｖ  前後方向中央の鉛直面
【図１】
0006728635.tif 000002
【図２】
0006728635.tif 000003
【図３】
0006728635.tif 000004
【図４】
0006728635.tif 000005
【図５】
0006728635.tif 000006
【図６】
0006728635.tif 000007
【図７】
0006728635.tif 000008
【図８】
0006728635.tif 000009
【図９】
0006728635.tif 000010
【図１０】
0006728635.tif 000011